(57)【特許請求の範囲】
【請求項１】
光源装置から出射された光束を変調した後に拡大投写して投写画像を形成するプロジェクタであって、
前記光源装置を収容する外装ケースにおける前記光源装置の近傍に、前記外装ケースおよび前記光源装置を冷却する冷却流路が形成され、
前記冷却流路は前記外装ケースの内側に設けられた冷却用ダクトから吹き出される冷却空気により形成され、
この冷却用ダクトの冷却空気吸入口は前記外装ケースの外側から冷却空気を取り入れ可能とされ、かつ、吹き出し口は前記外装ケースの内側側面に直接冷却空気を吹き付ける形状の開口部を有し、
前記冷却用ダクトの内部には、前記光源装置を構成するリフレクタの内部に前記冷却空気を引き入れる第１案内部、および、前記リフレクタの外周部に前記冷却空気を引き入れる第２案内部が、前記冷却空気吸入口と前記吹き出し口との間で所定の間隔をおいて当該冷却ダクトと一体に設けられ、
前記第１案内部は、前記光源装置側が開口したほぼ箱状を有し、
前記第２案内部は、前記光源装置側が開口した略ちりとり状を有し、幅寸法が前記第１案内部よりわずかに広く形成され、
前記第２案内部の側壁と、この側壁と対向する前記冷却用ダクトの側壁との間に、前記吹き出し口よりも幅寸法が狭い絞り部が形成されていることを特徴とするプロジェクタ。
【請求項２】
請求項１に記載のプロジェクタにおいて、前記冷却用ダクトの冷却空気吸入口は、前記冷却空気の流路が第１流路部と第２流路部との２方向に分かれるように分割され、前記第１流路部は前記光源装置を構成する前記リフレクタの内部を冷却し、前記第２流路部は前記リフレクタの外周部および前記外装ケースの前記内側側面を冷却可能となっていることを特徴とするプロジェクタ。
【請求項３】
請求項１または請求項２に記載のプロジェクタにおいて、前記外装ケースの側面かつ前記冷却用ダクトの前記冷却空気吸入口近傍に、外部の冷却空気を吸い込む吸気口が設けられていることを特徴とするプロジェクタ。
【請求項４】
請求項１ないし請求項３のいずれかに記載のプロジェクタにおいて、前記冷却用ダクトの前記冷却空気吸入口側には遠心式送風機が接続されていることを特徴とするプロジェクタ。
【請求項５】
請求項４に記載のプロジェクタにおいて、前記遠心式送風機はシロッコファンで構成され、このシロッコファンは前記外装ケースの内側側面に設けられ、この外装ケースの側面と直交する側面には、前記シロッコファンおよび前記冷却用ダクトから吸入されかつ前記外装ケースを冷却した後の冷却後空気を排気する排気ファンが設けられていることを特徴とするプロジェクタ。
【発明の詳細な説明】
【０００１】
【発明の属する技術分野】
本発明は、光源装置から出射された光束を変調した後に拡大投写して投写画像を形成するプロジェクタに関する。
【０００２】
【背景技術】
近年、プロジェクタを使用する環境が拡がりつつあり、社内会議や出張先でのプレゼンテーションなどで用いられる他、ＣＡＤ／ＣＡＭ／ＣＡＥのデータを取り込んで拡大投写することで、研究開発部門等での技術検討会に用いられたり、各種セミナーや研修会、さらには視聴覚教育を行う学校の授業でも用いられている。また、ＣＴスキャンやＭＲＩなどの医療画像やデータを投写し、治療法の検討、医療指導などに役立てたり、展示会や大勢が集まるイベントなどを効果的に演出するのにも用いられる。
【０００３】
このように、あるゆる環境でプロジェクタが用いられる現在では、プロジェクタに求められる仕様・機能も様々であり、携帯性を追求した軽量コンパクトモデル、画像品質を追求した高輝度モデルおよび高解像度モデル、各デジタル機器やモバイルツールとの接続を可能にした高機能モデルなどがある。
そして、使用される環境のさらなる拡大が予想されることから、新たな使用環境を想定したより高付加価値のプロジェクタの開発が盛んに行われている。
【０００４】
ところで、いずれのモデルのプロジェクタにも、光源ランプ、電源ユニット、液晶パネルなどの発熱源を冷却空気で冷却する冷却構造が設けられている。
例えば、外装ケースに形成された冷却空気の吸入口から吸気ファンによって冷却空気を吸引し、内部の発熱源を経由して冷却空気を流した後、排気ファンによって外装ケースの排気口から外部に排出する構造が知られている。この場合、外装ケースの内部にシロッコファンを設け、このシロッコファンでランプへ冷却空気を吹き付け、その冷却空気を排気ファンでケース外に排気することも行われている。
【０００５】
このような構造において、光源ランプ近傍に設けられたランプ冷却用ファンは、他の発熱源を冷却するための吸気ファンもしくは排気ファンよりも大きめのものが用いられており、発熱源の中でも最も高温になり易い光源ランプ全体を大きな風量で確実に冷却するような構造になっている。
【０００６】
【発明が解決しようとする課題】
しかし、前述の構造では、シロッコファンを用いて光学装置の光源ランプへ冷却空気を吹き付けているが、その冷却空気は、バラスト（ランプ駆動回路）を通って排気されるので、バラストを通過するうちに暖められてしまい、充分な冷却効果を得ることができない。
特に、冷却空気が光源ランプのみを冷却するようになっていることから、外装ケースにおいて光源ランプ近傍の部位の冷却は不充分である。その結果、外装ケースの光源ランプ近傍は熱をもつことになり、外装ケースが熱くなるという問題が生じる。
また、最近は、リサイクル性を考慮して、金属製の外装ケースを採用するという例が増えているので、そのような外装ケースの充分な熱対策が必要となっている。
【０００７】
本発明の目的は、外装ケースを効率よく冷却できるとともに光源装置を効率よく冷却できるプロジェクタを提供することにある。
【０００８】
【課題を解決するための手段】
本発明のプロジェクタは、光源装置から出射された光束を変調した後に拡大投写して投写画像を形成するプロジェクタであって、前記光源装置を収容する外装ケースにおける前記光源装置の近傍に、前記外装ケースおよび前記光源装置を冷却する冷却流路が形成され、前記冷却流路は前記外装ケースの内側に設けられた冷却用ダクトから吹き出される冷却空気により形成され、この冷却用ダクトの冷却空気吸入口は前記外装ケースの外側から冷却空気を取り入れ可能とされ、かつ、吹き出し口は前記外装ケースの内側側面に直接冷却空気を吹き付ける形状の開口部を有し、前記冷却用ダクトの内部には、前記光源装置を構成するリフレクタの内部に前記冷却空気を引き入れる第１案内部、および、前記リフレクタの外周部に前記冷却空気を引き入れる第２案内部が、前記冷却空気吸入口と前記吹き出し口との間で所定の間隔をおいて当該冷却ダクトと一体に設けられ、前記第１案内部は、前記光源装置側が開口したほぼ箱状を有し、前記第２案内部は、前記光源装置側が開口した略ちりとり状を有し、幅寸法が前記第１案内部よりわずかに広く形成され、前記第２案内部の側壁と、この側壁と対向する前記冷却用ダクトの側壁との間に、前記吹き出し口よりも幅寸法が狭い絞り部が形成されていることを特徴とする。
【０００９】
このような本発明では、外装ケースのなかで最も高温となりやすい光源装置の近傍が、冷却流路により冷却されるので、外装ケースを効率よく冷却することができる。また、冷却流路は光源装置の近傍に設けられているので、光源装置をも効率よく冷却することができる。その結果、光源装置の温度の上昇を抑え、かつ、外装ケースをより効率的に冷却することが可能となり、本発明の目的が達成される。
さらに、このような構成では、冷却用ダクトから吹き出される冷却空気により冷却流路が形成されているので、冷却空気が確実に送られ、これにより、外装ケースの冷却が効率よく行われる。また、冷却用ダクトの吹き出し口が、外装ケースの内側に直接冷却空気を吹き付ける形状の開口部となっているので、外装ケースを一層効率よく冷却することができる。
そして、このような構成では、第１案内部により、冷却空気が光源装置を構成するリフレクタの内部に引き入れられ、内部が冷却されるとともに、第２案内部により、リフレクタの外周部も冷却空気で冷却されるので、確実に光源装置の光源ランプが冷却される。その結果、光源ランプからの熱が外装ケースに伝わらないので、外装ケースが熱くなることを防止することができる。
第２案内部は、冷却流路を光源装置側と、外装ケースの内側側面とに導くように略ちりとり状に形成され、第２案内部の一側面と吸気ダクトの一側面との間に絞り部が形成されている。従って、絞り部を形成するのに特有の部材を必要とせず、一つの部材で２つの機能を持たせることができ、省部材化を図れる。
このように、冷却流路に絞り部が形成されているので、風圧が強くなり、外装ケースの内側に冷却空気を強く吹き付けることができ、外装ケースを効率よく冷却することができる。
【００１０】
以上の本発明において、冷却流路は外装ケースの光源装置近傍を冷却することができるものであれば、外装ケースの内側あるいは外側のいずれに設けてもよい。また、冷却流路の形成は限定されず、どのように形成されるものであってもよい。例えば、外装ケースの内側側面に冷却用ダクトを設けるとともに、この冷却用ダクトの吸入口を外装ケースの外側から冷却空気を吸入できるようにし、その冷却用ダクトの排気口から冷却空気を外装ケースの内側面に向けて吹き付けるようにして形成してもよい。さらに、冷却用ダクトの内側に、排気口が冷却用ダクトの内側側面に沿うようにシロッコファン等の遠心式送風機を設け、遠心式送風機から吹き出される冷却空気により冷却流路を形成してもよく、あるいは、上記遠心式送風機と冷却用ダクトとを接続して両者からなる冷却流路としてもよい。
【００１５】
本発明のプロジェクタでは、前記冷却用ダクトの冷却空気吸入口は、前記冷却空気の流路が第１流路部と第２流路部との２方向に分かれるように分割され、前記第１流路部は前記光源装置の光源ランプの内部を冷却し、前記第２流路部は前記光源ランプの外周部および前記外装ケースの前記内側側面を冷却可能となっていることが好ましい。
【００１６】
このような構成では、２つに分かれた流路の一方が光源ランプの内部を冷却し、他方が光源ランプの外周部および外装ケースの内側を冷却するので、光源ランプとともに、外装ケースも冷却され、これにより、外装ケースの冷却が効率よく行われる。
【００１９】
本発明のプロジェクタでは、前記外装ケースの側面かつ前記冷却用ダクトの前記冷却空気吸入口近傍に、外部の冷却空気を吸い込む吸気口が設けられていることが好ましい。
【００２０】
このような構成では、冷却用ダクトの冷却空気吸入口の近傍に設けられた吸気口からも冷却空気が取り入れられ、この冷却空気は冷却用ダクトからの冷却流路に追従して流れるので、風量が大きくなり、より一層効率よく外装ケースの冷却を行なうことができる。
【００２１】
本発明のプロジェクタでは、前記冷却用ダクトの前記冷却空気吸入口側に遠心式送風機が接続されていることが好ましい。
【００２２】
このような構成では、冷却用ダクトに遠心式送風機が接続されているので、この遠心式送風機から冷却空気が冷却用ダクトに送られる。従って、強力に送風することができ、より効率よく外装ケースの冷却を行なうことができる。
【００２３】
本発明のプロジェクタでは、前記遠心式送風機はシロッコファンで構成され、このシロッコファンは前記外装ケースの側面に設けられ、この外装ケースの内側側面と直交する側面には、前記シロッコファンおよび前記冷却用ダクトから吸入されかつ前記外装ケースを冷却した後の冷却後空気を排気する排気ファンが設けられていることが好ましい。
【００２４】
このような構成では、シロッコファンおよび冷却用ダクトから送風された冷却空気が、冷却用ダクト等と直交配置された排気ファンにより排気されるので、冷却流路がより確実に形成されるとともに、排気が迅速に行われ、一層効率よく外装ケースの冷却を行なえる。
【００２５】
【発明の実施の形態】
以下、本発明の一実施形態を図面に基づいて説明する。
〔１．プロジェクタの主な構成〕
図１は、本実施形態に係るプロジェクタ１を上方から見た全体斜視図、図２は、プロジェクタ１を下方から見た全体斜視図、図３は、プロジェクタ１の内部を示す斜視図である。
【００２６】
図１ないし図３において、プロジェクタ１は、略四角箱状の外装ケース２と、外装ケース２内に収容された電源ユニット３と、同じく外装ケース２内に配置された平面Ｌ字形の光学ユニット４とを備えている。
【００２７】
外装ケース２は、図４に示すように、互いにネジ止めされる合成樹脂製のアッパーケース２１と、アルミニウム等の金属製のロアーケース２２と、同じくアルミニウム等の金属製のフロントケース２３とで構成されている。
【００２８】
アッパーケース２１は、上面部２１１および背面部２１２が一体成形された形状である。
上面部２１１の内部側には、アルミニウム板のパンチング加工による多孔状の第１電磁遮蔽部材２１３が取り外し可能に設けられている。アッパーケース２１の背面部２１２の内部側にも、アルミニウム板からなる第２電磁遮蔽部材２１４が設けられている。第２電磁遮蔽部材２１４は、ロアーケース２２側にネジ止めされている。
【００２９】
ロアーケース２２は、底面部２２１および対向し合う一対の側面部２２２が一体に形成された形状であり、プレスやマシニングセンタ等で加工された所定形状のアルミニウム板等を曲げ加工することで、底面部２２１および側面部２２２が互いに折曲して形成されている。
底面部２２１の前方の両隅部分には、プロジェクタ１全体の傾きを調整して投写画像の位置合わせを行なう高さ位置調整機構７が設けられている。これに対して底面部２２１の後方側中央部には、樹脂製のフット部材６（図２）が嵌合しているのみである。
【００３０】
フロントケース２３は、外装ケース２の前面部２３１を形成する部材であり、やはりプレスやマシニングセンタ等で加工された所定形状のアルミニウム板等の曲げ加工あるいは絞り加工によって形成されている。このフロントケース２３には投写レンズ４６に対応して丸孔開口２３２が設けられ、丸孔開口２３２の周辺は絞り加工によって内部側に湾曲している。
【００３１】
このような外装ケース２には、内部に冷却空気を取り入れるための吸気口２Ａ，２Ｂ，２Ｃ，２Ｄ，２Ｅ、および、内部から冷却空気を排出するための排気口２Ｆの他、操作パネル２Ｇや、スピーカの位置に対応した多数の孔２Ｈ等が設けられている。
【００３２】
電源ユニット３は、外装ケース２（図３）内の前面側に配置された主電源３１と、主電源３１の後方に配置されたバラスト３２とで構成されている。主電源３１は、電源ケーブルを通して供給された電力をバラスト３２や図示しないドライバーボード（電子回路基板）等に供給するものであり、前記電源ケーブルが差し込まれるインレットコネクタ３３（図２）、周囲を囲むアルミニウム製のフレーム３４、電源回路基板３５（図９）等を備えている。
【００３３】
バラスト３２は、電力を主に光学ユニット４の光源ランプ４１１（図５）に供給するものであり、ランプ駆動回路基板３６（図９）を備えている。
【００３４】
光学ユニット４は、図５に示すように、インテグレータ照明光学系４１、色分離光学系４２、リレー光学系４３、電気光学装置４４、色合成光学系としてのクロスダイクロイックプリズム４５、および投写光学系としての投写レンズ４６を備えている。
【００３５】
〔２．光学系の詳細な構成〕
図５において、インテグレータ照明光学系４１は、メタルハライドランプ等の光源ランプ４１１およびリフレクタ４１２を含む光源装置４１３と、第１レンズアレイ４１４と、偏光変換素子４１５と、第２レンズアレイ４１６とを備えている。光源ランプ４１１から射出された光束は、リフレクタ４１２によって集光点に集光するように反射した後、集光点までの途中位置に配置された第１レンズアレイ４１４によって複数の部分光束に分割され、そして、偏光変換素子４１５によって１種類の偏光光に変換され、第２レンズアレイ４１６に入射する。
なお、このような偏光変換素子４１５は、例えば特開平８−３０４７３９号公報に紹介されている。
【００３６】
偏光変換素子４１５によって１種類の偏光光に変換された各部分光束は、集光レンズ４１７に集光し、最終的に電気光学装置４４を構成する３枚の光変調装置（ライトバルブ）としての液晶パネル４４１（色光毎に液晶パネル４４１Ｒ，４４１Ｇ，４４１Ｂと示す）上にほぼ重畳される。
【００３７】
色分離光学系４２は、２枚のクロスダイクロイックミラー４２１，４２２と、反射ミラー４２３とを備え、ミラー４２１、４２２によりインテグレータ照明光学系４１から射出された複数の部分光束を赤、緑、青の３色の色光に分離する機能を有している。
【００３８】
リレー光学系４３は、入射側レンズ４３１、リレーレンズ４３３、および反射ミラー４３２、４３４を備え、色分離光学系４２で分離された色光、例えば、青色光を液晶パネル４４１Ｂまで導く機能を有している。
【００３９】
電気光学装置４４は、３枚の光変調装置となる液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。
【００４０】
クロスダイクロイックプリズム４５は、３枚の液晶パネル４４１Ｒ，４４１Ｇ，４４１Ｂから射出された各色光ごとに変調された画像を合成してカラー画像を形成するものである。なお、ダイクロイックプリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、ダイクロイックプリズム４５で合成されたカラー画像は、投写レンズ４６から射出され、スクリーン上に拡大投写される。
【００４１】
以上説明した各光学系４１〜４５は、図６に示す支持体としての合成樹脂製のライトガイド４７に収容される。すなわち、このライトガイド４７には、光源装置４１３を覆う図略の光源保護部の他、前述の各光学部品４１４〜４１６，４２１〜４２３，４３１〜４３４を上方からスライド式に嵌め込む図略の複数の溝部が設けられている。ここで、一つの溝部には、一体にユニット化された偏光変換素子および第２レンズアレイが嵌め込まれるようになっている。そして、ライトガイド４７には、ダイクロイックプリズム４５（図３，７参照）が固定されるとともに、カバー４８（図３参照）が取り付けられている。
【００４２】
〔３．冷却構造〕
図１および図２において、プロジェクタ１内には、投写レンズ４６脇および外装ケース２底面の吸気口２Ａから吸引された冷却空気が排気口２Ｆから排気される第１冷却系統Ａ、外装ケース２の側面に設けられた吸気口２Ｂから吸引された冷却空気が上記排気口２Ｆから排気される第２冷却系統Ｂ、外装ケース２の底面に設けられた吸気口２Ｃから吸引された冷却空気が上記排気口２Ｆから排気される第３冷却系統Ｃ、外装ケース２の側面に設けられた吸気口２Ｄから吸引された冷却空気が、後述する遠心色紙送風機であるシロッコファン５４と、吸気ダクト６０により形成される本願発明の冷却流路を経て上記排気口２Ｆから排気される第４冷却系統Ｄ、および外装ケース２の側面角部寄りに設けられた吸気口２Ｅから吸引された冷却空気が、第２電磁遮蔽部材２１４のルーバー２１５を通って上記排気口２Ｆから排気される第５冷却系統Ｅが形成されている。
ただし、冷却空気の流れは、上記のような各冷却系統Ａ〜Ｅ毎に明確に分けられるのではなく、実際には、内部部品間の隙間等を通じて冷却系統Ａ〜Ｅ間相互での冷却空気の多少の移動は当然に生じる。
【００４３】
図９に詳細に示すように、第１冷却系統Ａでは、主電源３１の投写レンズ４６側に軸流吸気ファン５１（図３中では一点鎖線で図示）が設けられ、バラスト３２の光源装置４１３側に軸流排気ファン５２が設けられている。この軸流排気ファン５２の駆動によって投写レンズ４６脇および吸気口２Ａから吸引された冷却空気は、主電源３１の電源回路基板３５（これに実装された回路部品を含む）を冷却した後に、軸流排気ファン５２によって外装ケース２の外部に排気される。
【００４４】
第２冷却系統Ｂでは、図７、図８の断面図に示すように、投写レンズ４６の下側に第１シロッコファン５３が設けられている。この第１シロッコファン５３は、吸気口２Ｂから電気光学装置４４の下方まで冷却空気を導く吸気ダクト６０（図７）の途中に配置されている。
【００４５】
吸気口２Ｂから吸引された吸気は、吸気ダクト６０に導かれて第１シロッコファン５３に吸い込まれ、外装ケース２の底面に沿って吐き出された後、電気光学装置４４を冷却する。この後に冷却空気は、上部に平置き状態で配置された回路基板としての図示しないドライバーボードを冷却しながら軸流排気ファン５２に向かい、この軸流排気ファン５２により排気口２Ｆから排気される。
【００４６】
第３冷却系統Ｃでは、図６に示すように、ライトガイド４７の下面における外装ケース２底面の吸気口２Ｃに対応した位置に第２シロッコファン５５が設けられている。なお、吸気口２Ｃは、個々の孔を極力小径とすることで、プロジェクタ１の設置個所上にある塵や埃を吸い込み難くしている。
【００４７】
吸気口２Ｃから第２シロッコファン５５に吸い込まれた冷却空気の一部は、外装ケース２の底面およびライトガイド４７の下面間に形成されるダクト状部分４７１を通り、光源装置４１３側に吐き出された後、吸気口４７２，４７３に導かれ（図６参照）、この吸気口４７２，４７３の上部に配置される前述した第１レンズアレイ４１４、偏光変換素子４１５と第２レンズアレイ４１６からなるユニットの他、ＵＶフィルタ４１８を下方から上方に向かって冷却する。この後に冷却空気は、図６に矢印Ｃ１で示すように、カバー４８の排気用開口４８Ａ(図３)から排気され、最終的に軸流排気ファン５２で排気口２Ｆより外部へ排気される。なお、ダクト状部分４７１の下面には、図示しないシートが貼られ、これによりダクトが形成されている。
【００４８】
また、吸気口２Ｃから第２シロッコファン５５に吸い込まれた冷却空気の他の部分は、図６に矢印Ｃ２で示すように、ランプ駆動用回路冷却用ダクト５６内部を通りランプ駆動回路３２側へ吐き出される。
この際、ランプ駆動回路基板３６は、図３、図１０に示すように、安全対策用の透明な樹脂製のケース部材３７内に収容され、ベース部材３８にスタッド部材（不図示）等を介して固定されており、ランプ駆動用回路冷却用ダクト５６からの冷却空気はこのケース部材３７の一端側の開口から流入し、他端側の開口から流出して軸流排気ファン５２に吸い込まれ、かつ、排気される。
【００４９】
第４冷却系統Ｄでは、図３，６，９に示すように、前記第２電磁遮蔽部材２１４の側面に、遠心式送風機である第３シロッコファン５４が設けられ、この第３シロッコファン５４の吸込口５４０を外装ケース２の前記吸気口２Ｄに向けて、また、吐出口５４１を前記軸流排気ファン５２を取り付けたロアーケース２２の側面部２２２に向けて配置されている。
【００５０】
第３シロッコファン５４の吐出口５４１には、図１１、１２に示すように、ランプおよびケースを冷却する冷却用ダクト６１の冷却空気吸入口６００が接続されているとともに、冷却用ダクト６１の吹き出し口６０１は、冷却空気吸入口６００に対して先すぼまりとなった細長溝状の開口部に形成され、外装ケース２の内側に直接冷却空気を吹き付けやすい形状となっている。そして、この冷却用ダクト６１により吹き出される冷却空気により冷却流路が形成されている。
【００５１】
冷却用ダクト６１の冷却空気吸入口６００は、冷却空気の流路が第１流路部６００Ａと第２流路部６００Ｂとの２方向に分かれるように分割されている。
また、冷却用ダクト６１の内部には、前記光源ランプ４１１側が開口したほぼ箱状の第１案内部６０３と、光源ランプ４１１側が開口し、略ちりとり状に形成された第２案内部６０４とが、冷却空気吸入口６００と吹き出し口６０１との間で所定の間隔をおいて設けられている。そして、第１案内部６０３が、冷却空気を光源装置４１３の内部と外周とに案内する本願発明の案内部となっており、この第１案内部６０３の一側面は、上記第１流路部６００Ａと第２流路部６００Ｂとの分岐上に位置するように設けられている。
【００５２】
第２案内部６０４は、幅寸法が第１案内部６０３よりわずかに広く形成されている。そのため、この第２案内部６０４の側壁６０４Ａと、この側壁６０４Ａと対向する冷却用ダクト６１の側壁との間が、第１流路部６００Ａおよび冷却用ダクト６１の吹き出し口６０１に比べて狭くなっている。つまり、冷却用ダクト６１の吹き出し口６０１の上流側に絞り部６０２が形成されていることになる。
【００５３】
図１２に示すように、このような冷却用ダクト６１は、第１案内部６０３および第２案内部６０４の開口側を光源装置４１３側に向けて設けられ、第１案内部６０３は、第１流路部６００Ａからの冷却空気を、光源装置４１３のリフレクタ４１２側の側面にあけられた図示しない孔から送り込み、リフレクタ４１２内部を冷却してリフレクタ根元部の孔４１２Ｂより排出される冷却系統Ｄ１を構成している。なお、孔４１２Ａ、４１２Ｂにはランプ破損時の破片飛散防止用の図示しない網がついている。
【００５４】
また、第２案内部６０４は、第２流路部６００Ｂからの冷却空気を、光源装置４１３のリフレクタ４１２外周部を冷却するような冷却系統Ｄ２と、外装ケース２の内側を冷却するような冷却系統Ｄ３とに分割できるようになっている。
【００５５】
第５冷却系統Ｅでは、図２，３，９に示すように、外装ケース２の吸気口２Ｅから吸入された冷却空気を、前述のように、ルーバー２１５を通し、この冷却空気を前記冷却系統Ｄ３の冷却空気の流れに追従させて、前記軸流ファン５２側に送り込み、その軸流ファン５２により排気させるように構成されている。
【００５６】
〔４．実施形態の効果〕
(1) 外装ケース２の内側側面、かつ、光源装置４１３近傍に設けられた第３シロッコファン５４により取り入れられた外部からの冷却空気が、吹き出し口６００が外装ケース２の内側面に向いた冷却用ダクト６１の上記吹き出し口６００から直接吹き出されるので、外装ケース２のなかで最も高温となりやすい部位が、集中的に冷やされ、その結果、外装ケース２を効率よく冷却することができる。
【００５７】
(2) 上述のように、外装ケース２の内側側面、かつ、光源装置４１３近傍に設けられた第３シロッコファン５４から冷却用ダクト６１を経て吹き出される冷却空気が、外装ケース２とともに、光源装置４１３をも効率よく冷却するので、光源装置４１３の熱の上昇を抑えることができ、結果的に、外装ケース２の熱の上昇を抑えることができ、外装ケース２をより一層冷却することができる。
【００５８】
(3) 冷却用ダクト６１の吹き出し口６０１は、そこを通る冷却空気が冷却系統Ｄ３となり、外装ケース２における光源装置４１３の近傍の内側側面に直接冷却空気を吹き付ける形状の、細長溝状の開口部となっているので、上記外装ケース２の内側側面をより効率よく冷却することができる。
【００５９】
(4) 冷却用ダクト６１の開口部（吹き出し口６０１）の上流側には、絞り部６０２が形成されており、この絞り部６０２により第２流入口６００Ｂから流入する冷却空気が絞られるので、風圧が強くなり、外装ケース２の内側に冷却空気を強く吹き付けることができ、外装ケース２を効率よく冷却することができる。
【００６０】
(5) 冷却用ダクト６１の冷却空気吸入口６００からの第１流路部６００Ａは光源装置４１３の光源ランプ４１１の内部を冷却し、第２流路部６００Ｂは光源装置４１３のリフレクタ４１２の外周部および外装ケース２の内側を冷却可能となっているので、光源装置４１３の光源ランプ４１１、リフレクタ４１２とともに外装ケース２も冷却される。従って、光源装置４１３の熱の上昇を抑えることができ、結果的に、外装ケース２の熱の上昇を抑えることができ、外装ケース２をより一層効率よく冷却することができる。
【００６１】
(6) 冷却用ダクト６１に、光源装置４１３の内部と外周部とに冷却空気を引き入れる第１案内部６０３が一体に設けられているので、冷却空気が光源装置４１３の内部と外周部とに確実に引き入れられる。従って、確実に光源装置４１３が冷却される、その結果、光源装置４１３からの熱が外装ケース２に伝わらないので、外装ケース２が熱くなることを防止することができる。
【００６２】
(7) 外装ケース２の側面、かつ、冷却用ダクト６１の冷却空気吸入口６００近傍に、外部の冷却空気を吸い込む吸気口２Ｅが設けられているので、その吸気口２Ｅからも冷却空気が取り入れられ、この冷却空気は冷却用ダクト６１からの冷却流路に追従して流れるので、風量が大きくなり、より一層効率よく外装ケース２の冷却を行なうことができる。
【００６３】
(8) 外装ケース２の側面、かつ、冷却用ダクト６１の冷却空気吸入口６００近傍に、吸気ダクト６０の冷却空気吸入口６００に第３シロッコファン５４が接続されており、この第３シロッコファン５４から冷却空気が冷却用ダクト６１に送られる。従って、強力に送風することができ、より効率よく外装ケース２の冷却を行なうことができる。
【００６４】
(9) 第３シロッコファン５４は冷却用ダクト６１と接続されるとともに、外装ケース２の側面に設けられ、この外装ケース２の側面と直交する側面には、シロッコファン５４および冷却用ダクト６１から吸入されかつ外装ケース２を冷却した後の冷却後空気を排気する軸流排気ファン５２が設けられているので、冷却流路がより確実に形成され、これにより、排気が迅速に行われ、より一層効率よく冷却を行なえる。
【００６５】
(10) 第２案内部６０４は、第１流路６００Ｂを光源装置４１３側と、外装ケース２の内側側面とに導くように略ちりとり状に形成され、第２案内部６０４の一側面と吸気ダクト６０の一側面との間に絞り部６０２が形成されている。従って、絞り部６０２を形成するのに特有の部材を必要とせず、一つの部材で２つの機能を持たせることができ、省部材化を図れる。
【００６６】
なお、本発明は、前記実施形態に限定されるものではなく、本発明の目的を達成できる他の構成等を含み、以下に示すような変形等も本発明に含まれる。
例えば、前記実施形態では、外装ケース２に、第３シロッコファン５４およびそれに接続させて冷却用ダクト６１を設けたが、冷却用ダクト６１のみを設けてもよい。この場合、冷却用ダクト６１の冷却空気吸入口を外装ケース２の外側に向けて設け、冷却空気を吸入しやすいようにすればよい。
【００６７】
また、前記実施形態では、第２流路部６００Ｂを、第２案内部６０４により、光源装置４１３の外周および外装ケース２の内側側面に導くようにしていたが、この第２案内部６０４は、必ずしも設けなくてもよく、第２流路部６００Ｂからの冷却空気が直接外装ケース２の内側側面に向かうようにし、その過程で、光源装置４１３の外周が冷却されるようにしてもよい。この場合、流れの途中に絞り部を設ける必要がある。
【００６８】
さらに、前記実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。また、前記実施形態では、光変調装置として液晶パネルを用いていたが、マイクロミラーを用いたデバイスなど、液晶以外の光変調装置を用いてもよい。さらに、前記実施形態では、光入射面と光出射面とが異なる透過型の光変調装置を用いていたが、光入射面と光出射面とが同一となる反射型の光変調装置を用いてもよい。さらにまた、前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００６９】
【発明の効果】
以上に述べたように、本発明によれば、光源装置を収容する外装ケースにおける光源装置の光源ランプの近傍に、外装ケースを冷却する冷却流路が形成されているので、外装ケースのなかで最も高温となりやすい光源ランプの近傍が、冷却流路により冷却されるので、外装ケースを効率よく冷却することができる。
また、冷却流路は光源ランプの近傍に設けられているので、光源ランプをも効率よく冷却することができる。その結果、光源装置の温度の上昇を抑えることができ、外装ケースを寄り効率的に冷却することができる。
【図面の簡単な説明】
【図１】本発明の一本実施形態に係るプロジェクタを上方から見た全体斜視図である。
【図２】プロジェクタを下方から見た全体斜視図である。
【図３】プロジェクタの内部を示す斜視図である。
【図４】前記実施形態の外装ケースの分解斜視図である。
【図５】プロジェクタの各光学系を模式的に示す平面図である。
【図６】プロジェクタの光学ユニットの構成部材を示す斜視図である。
【図７】図１の矢印VII−VIIから見た縦断面図である。
【図８】図１の矢印VIII−VIIIから見た縦断面図である。
【図９】前記実施形態の冷却系統を示す斜視図である。
【図１０】前記実施形態の要部を拡大して示す縦断面図である。
【図１１】前記実施形態の冷却用ダクトの裏側から見た斜視図である。
【図１２】前記実施形態の冷却用ダクトと光源装置との関係を示す斜視図である。
【符号の説明】
１  プロジェクタ
５２  軸流排気ファン
５４  遠心式送風機である第３シロッコファン
６０  吸気ダクト
６１  冷却用ダクト
４１１  光源ランプ
４１３  光源装置
５４０  シロッコファンの吸込口
６００  ダクトの冷却空気吸入口
６００Ａ  第１流入部
６００Ｂ  第２流入部
６０１  冷却用ダクトの開口部である吹き出し口
６０２  絞り部
６０３  第１案内部
【図１】
0003870694.tif 000002
【図２】
0003870694.tif 000003
【図３】
0003870694.tif 000004
【図４】
0003870694.tif 000005
【図５】
0003870694.tif 000006
【図６】
0003870694.tif 000007
【図７】
0003870694.tif 000008
【図８】
0003870694.tif 000009
【図９】
0003870694.tif 000010
【図１０】
0003870694.tif 000011
【図１１】
0003870694.tif 000012
【図１２】
0003870694.tif 000013